(57)【要約】【課題】既設のスレート屋根材に被せられる新規の金属屋根材を固定するクランプ金具を、スレート屋根材のフックボルトの軸まわりにスムーズに嵌入固定して、騒音を防止することのできるスレート屋根改修用工具を提供する。【解決手段】このスレート屋根改修用工具は、操作部３に金具保持部３１と一体に形成されたスライダプレート３２を有し、このスライダプレート３２が操作部３の底部に対して垂直な状態で配設されている。また、スライダプレート３２を垂直姿勢のままスライド方向に案内する上下２本ずつのガイドバー３３が、スライダプレート３２の上下に貫通して本体部２に固着され、ガイドバー３３によってスライダプレート３２が、掛止部２２に挟み込まれたフックボルト８の軸部８１に対して横方向からスライドし、保持しているクランプ金具５をフックボルト８の軸まわりに圧入させる構成である。【選択図】図２
2006152794.tif 000002
【特許請求の範囲】
【請求項１】
既設のスレート屋根材に被せられる新規の金属屋根材を固定するためのクランプ金具を、前記スレート屋根材のフックボルトの軸まわりに嵌入固定するスレート屋根改修用工具であって、クランプ金具の底面には、端縁に開口した略Ｕ字形の嵌入溝が形成されており、
スレート屋根改修用工具は、片手で保持しうる本体部と、他方の手でレバー操作しうる操作部とを備え、本体部はその底部にフックボルトの軸部を挟み込む掛止部が備えられ、操作部はその底部にクランプ金具を保持する金具保持部が設けられ、
操作部のレバー操作によって、金具保持部が、掛止部に挟み込まれたフックボルトの軸部に対して横方向からスライドし、クランプ金具をフックボルトの軸まわりに圧入させることを特徴とするスレート屋根改修用工具。
【請求項２】
操作部は金具保持部と一体に形成されたスライダプレートを有し、このスライダプレートが操作部の底部に対して垂直な状態で配設され、このスライダプレートを垂直姿勢のままスライド方向に案内する上下２本ずつのガイドバーが、スライダプレートの上下に貫通して操作部の底部と平行な状態で本体部に固着され、
これらのガイドバーによってスライダプレートが横方向にスライドしうることを特徴とする請求項１に記載のスレート屋根改修用工具。
【請求項３】
操作部は操作レバーと結合された偏心円形カムを有し、この偏心円形カムが本体部に軸支されてスライダプレートを押圧する倍力機構が形成され、操作レバーを傾けることによって偏心円形カムを回転させ、スライダプレートおよび金具保持部をスライド移動させることを特徴とする請求項２に記載のスレート屋根改修用工具。
【請求項４】
操作部は操作レバーが固着された回転板と、この回転板の中心を通る回転軸部を有し、回転軸部がガイドバーと平行にスライダプレートを貫通する状態で本体部に軸着されて前記スライダプレートを押圧する倍力機構が形成され、回転軸部に形成された雄ネジ部とスライダプレートに形成された雌ネジ部との螺合によって、スライダプレートおよび金具保持部をスライド移動させることを特徴する請求項２に記載のスレート屋根改修用工具。
【請求項５】
操作部には、操作レバーと連結リンクと押出レバーとのリンク機構による倍力機構が形成され、操作レバーを傾けることによってスライダプレートおよび金具保持部をスライド移動させることを特徴する請求項２に記載のスレート屋根改修用工具。
【請求項６】
クランプ金具は、天面および底面と、これらの面に接続された側面とが断面略コ字形に形成されており、
このクランプ金具の天面を係止して保持するための係止凸部が、金具保持部の内側に設けられていることを特徴とする請求項１〜請求項５のいずれか１項に記載のスレート屋根改修用工具。
【請求項７】
掛止部は、金具保持部に対する上下方向の位置を自在に変更しうるように本体部の側面に備えられていることを特徴とする請求項１〜請求項６のいずれか１項に記載のスレート屋根改修用工具。
【発明の詳細な説明】
【技術分野】
【０００１】
本発明は、既設のスレート屋根に新規の屋根を葺設するためのスレート屋根改修用工具に関する。
【背景技術】
【０００２】
老朽化したスレート屋根を改修する方法として、既設のスレート屋根材に新規の金属屋根材を被せるカバー工法が広く知られている。この種の改修工法では、スレート屋根材の上に被せる新規の金属屋根材を、スレート屋根材に貫通してビス等で母屋に直接固定するのが一般的であった。しかしながら、この工法ではスレート屋根材に固定用の穴を開けなければならないため、建物内部に粉塵や埃が落下したり、降雨によって漏水したりしてしまうという問題点があった。
【０００３】
そこで、こうした問題を解決すべく、例えば、特許文献１、２等に記載されているように、既設のスレート屋根材を固定しているフックボルトの軸まわりに、新規の金属屋根材の支持ベースとなる支持金具の切欠部を嵌め込み、新規の金属屋根材との間に支持金具を介在させて、この支持金具に新規の金属屋根材を固定することで、スレート屋根材に穴を開けずに新規の金属屋根材を葺設するという改修工法が普及してきている。
【０００４】
このような工法においては、既設のスレート屋根材を固定するフックボルトのナットの座金とスレート屋根材との間に、パッキンが介在されているので、このパッキンに上記支持金具の切欠部をくい込ませるようにして支持金具を打ち込み、切欠部をフックボルトの軸まわりに嵌め込むようになされる。また、座金とスレート屋根材との間に充分な隙間がない場合には、フックボルトのナットを緩めて、支持金具の切欠部が嵌め込まれる。
【０００５】
これにより、新規の金属屋根材を葺設する際に、既設のスレート屋根材に穴を開けずに済むようになっている。また、かかる屋根改修を行っている間も、通常通り、その建物を使用することができるという利点もある。
【特許文献１】特許第２９０７４２２号公報
【特許文献２】特開２００２−１４６９７３号公報
【発明の開示】
【発明が解決しようとする課題】
【０００６】
上記のような改修工法では、フックボルトに支持金具を打ち込むのに、ハンマー等の工具を用いて支持金具の側面を強くたたかなければならない。しかし、このように支持金具を打ち込んで衝撃を与えるような作業を行えば、使用中の建物内部への粉塵や埃の落下が避けられないだけでなく、大きな音が発生するので建物内部や周辺環境への騒音が懸念される。また、このような工具を用いて支持金具をたたくことで、老朽化しているスレート屋根材を破損させてしまうおそれがある。
【０００７】
また、フックボルトのナットを緩めて支持金具を嵌入させる隙間を作る方法もあるが、この場合には、一旦ナットを緩めて支持金具を設置後、固定ナットを締め直すという作業手間がかかるので、施工効率が悪く、迅速に改修作業を進めることができないという問題点があった。
【０００８】
本発明は、上記のような問題点にかんがみてなされたものであり、スレート屋根の改修にあたって、既設のスレート屋根材に被せられる新規の金属屋根材を固定するクランプ金具を、粉塵や埃の落下や騒音を発生させずに、既設スレート屋根材のフックボルトの軸まわりにスムーズに嵌入固定することのできるスレート屋根改修用工具を提供し、屋根改修の作業性を高めることを目的としている。
【課題を解決するための手段】
【０００９】
上記した目的を達成するため、本発明は、既設のスレート屋根材に被せられる新規の金属屋根材を固定するためのクランプ金具を、前記スレート屋根材のフックボルトの軸まわりに嵌入固定するスレート屋根改修用工具であって、クランプ金具の底面には、端縁に開口した略Ｕ字形の嵌入溝が形成されている。そして、スレート屋根改修用工具は、片手で保持しうる本体部と、他方の手でレバー操作しうる操作部とを備えている。このうち、本体部はその底部にフックボルトの軸部を挟み込む掛止部が備えられ、操作部はその底部にクランプ金具を保持する金具保持部が設けられている。さらに、前記操作部のレバー操作によって、金具保持部が、掛止部に挟み込まれたフックボルトの軸部に対して横方向からスライドし、クランプ金具をフックボルトの軸まわりに圧入させることを特徴としている。
【００１０】
ここで、金具保持部が横方向からスライドするとは、金具保持部が保持するクランプ金具が、本体部の底部および操作部の底部と平行な方向にスライド移動することを意味している。
【００１１】
この発明によれば、クランプ金具を圧入させる作業は、片手で本体部を保持して、他方の手でレバー操作をするだけで済み、クランプ金具を嵌め込んだ金具保持部を横方向に容易にスライドさせることができるので、効率よく屋根の改修作業を進めることができる。このとき、クランプ金具はフックボルトの軸まわりに横方向からスムーズに圧入され、従来のようにクランプ金具をハンマー等でたたき込む必要がないので、作業を円滑かつ静かに進めることができ、粉塵や埃の落下や、騒音の発生を防止することができる。
【００１２】
また、本発明は前記構成において、操作部が金具保持部と一体に形成されたスライダプレートを有し、このスライダプレートが操作部の底部に対して垂直な状態で配設され、このスライダプレートを垂直姿勢のままスライド方向に案内する上下２本ずつのガイドバーが、スライダプレートの上下に貫通して操作部の底部と平行な状態で本体部に固着され、これらのガイドバーによってスライダプレートが横方向にスライドしうることを特徴としている。
【００１３】
この構成によれば、金具保持部と一体であるスライダプレートが上下４本のガイドバーによって支持されて、垂直姿勢を保持したまま横方向にスライドするので、レバー操作によって金具保持部をぐらつかせることなくスムーズにスライド移動させることができる。
【００１４】
また、本発明は前記構成において、操作部が操作レバーと結合された偏心円形カムを有し、この偏心円形カムが本体部に軸支されてスライダプレートを押圧する倍力機構が形成され、操作レバーを傾けることによって偏心円形カムを回転させ、スライダプレートおよび金具保持部をスライド移動させることによって特徴づけられる。
【００１５】
また、本発明は、操作部が操作レバーの固着された回転板と、この回転板の中心を通る回転軸部を有し、回転軸部がガイドバーと平行にスライダプレートを貫通する状態で本体部に軸着されて前記スライダプレートを押圧する倍力機構が形成され、回転軸部に形成された雄ネジ部とスライダプレートに形成された雌ネジ部との螺合によって、スライダプレートおよび金具保持部をスライド移動させるように構成されていてもよい。
【００１６】
さらに本発明は、操作部に、操作レバーと連結リンクと押出レバーとのリンク機構による倍力機構が形成されて、操作レバーを傾けることによってスライダプレートおよび金具保持部をスライド移動させるように構成されていてもよい。
【００１７】
このような各種の倍力機構が操作部に形成されていることによって、片手で行うレバー操作を容易にすることができ、クランプ金具を保持した金具保持部を簡単に横方向にスライドさせてクランプ金具をフックボルトに圧入することができるので、より迅速に屋根の改修作業を行うことができる。
【００１８】
また、本発明のスレート屋根改修用工具では、クランプ金具が、天面および底面と、これらの面に接続された側面とが断面略コ字形に形成されており、このクランプ金具の天面を係止して保持するための係止凸部が、金具保持部の内側に設けられていることが好ましい。
【００１９】
このように構成されることで、金具保持部の内側においてクランプ金具の天面が係止されるので、金具保持部の底面側の形状にかかわらずクランプ金具を安定的に保持することが可能になる。
【００２０】
さらに、本発明において、前記掛止部は、金具保持部に対する上下方向の位置を自在に変更しうるように本体部の側面に備えられていることが好ましい。
【００２１】
これにより、掛止部に挟み込まれたフックボルトの軸部に対して、クランプ金具を保持した金具保持部を横方向からスライドして圧入するときの掛止部と金具保持部およびクランプ金具との位置関係を適宜変更することができ、複数種類の大きさのクランプ金具に対応することが可能になる。
【発明の効果】
【００２２】
上述のように構成される本発明のスレート屋根改修用工具によれば、クランプ金具を圧入させる作業は、片手で本体部を保持して、他方の手でレバー操作をするだけで済み、クランプ金具を嵌め込んだ金具保持部を横方向にスムーズにスライドさせることが可能である。したがって、従来のようにクランプ金具をハンマー等の工具でたたき込む必要がないので、作業を円滑かつ静かに進めることができ、粉塵や埃の落下や、騒音の発生を防止しながら、効率よく迅速な屋根の改修作業を進めることができる。また、粉塵や埃の落下、および騒音の発生が防止されることから、かかる屋根改修を行っている間も、建物内部や周辺環境へ悪影響を及ぼすおそれがなく、建物を通常通り使用することも可能である。
【発明を実施するための最良の形態】
【００２３】
以下、本発明に係るスレート屋根改修用工具を実施するための最良の形態について説明する。
【００２４】
本発明のスレート屋根改修用工具は、既設のスレート屋根材に被せられる新規の金属屋根材を固定するためのクランプ金具を、既設スレート屋根のフックボルトの軸まわりに嵌入固定するものであり、このクランプ金具の上に新規の金属屋根材を固定するスレート屋根改修工法において使用される。
【００２５】
ここで、クランプ金具について図１および図１３に例示する。図１に示すクランプ金具５は、天面５１および底面５２と、これらの面を接続する接続面５５が断面略コ字形に形成されている。天面５１の端縁からはリブ５３が垂設されている。このリブ５３は、このクランプ金具５をフックボルト８の方向へスライドさせるときの圧入力の作用面として形成されている。
【００２６】
このクランプ金具５は、底面５２の中央部が、断面波形状のスレート屋根材７の山部に沿う波形の断面形状に形成されている。かかる底面５２には、この底面５２の端縁に開口する略Ｕ字形の嵌入溝５４も設けられている。この嵌入溝５４は、既設スレート屋根材７のフックボルト８の軸部８１に圧入されて、クランプ金具５を適切な位置に定置させるために設けられている。
【００２７】
また、図１３に例示するクランプ金具５ｆも同様に、端縁にリブ５３を垂設した天面５１と、嵌入溝５４を備えた底面５２と、これらの面に接続された接続面５５とが断面略コ字形をなすように形成されている。前記クランプ金具５との相違点は、このクランプ金具５ｆの底面５２がフラットに形成されていることである。この形状のクランプ金具５ｆは、特に、断面が波形状ではない平板状のスレート屋根材７の上に新規の金属屋根材を葺設するのに好適であり、底面がフラットであるので、スレート屋根材７の上面に容易に圧入することができるようになっている。
【実施例１】
【００２８】
次に、本発明のスレート屋根改修用工具の実施例について図面を参照しつつ具体的に説明する。図２〜図５は本発明の実施例１を示し、図２はスレート屋根改修用工具の正面側から見た機構図、図３はスレート屋根改修用工具の側面図、図４はスレート屋根改修用工具の本体部を示す側面図、図５はスレート屋根改修用工具の操作部の一部を示す（ａ）正面図、（ｂ）側面図である。
【００２９】
このスレート屋根改修用工具１は、片手で保持しうる本体部２と、片手でレバー操作しうる操作部３とを備えている。
【００３０】
本体部２は、上部にハンドル２１が設けられており、片手で保持して移動させたり、定置したりすることができるようになっている。底部２ａには、既設スレート屋根材７を固定しているフックボルト８の軸部８１を掛止するための掛止部２２が形成されている。例示の形態では、掛止部２２は、図４において手前方向に開口する略Ｕ字形の溝として形成されている。
【００３１】
一方、操作部３は、底部に上記クランプ金具５を保持するための金具保持部３１が設けられ、この金具保持部３１がスライダプレート３２と一体に結合されている。図５に示すように、金具保持部３１は、クランプ金具５の天面５１、底面５２、および圧入方向の前縁に係合する３箇所の位置決めリブ３１１が突設された当接面３１２を有し、さらに、この当接面３１２における圧入方向の後部側には、クランプ金具５の天面５１および底面５２を保持するとともにクランプ金具５のリブ５３を押圧する、側面視略コ字形の押出部３１３が形成された構成となっている。
【００３２】
金具保持部３１の押出部３１３の上部には、上下２本ずつの貫通穴３２１が設けられたスライダプレート３２が、金具保持部３１と一体になるように延設されている。このスライダプレート３２は、操作部３の底部となる金具保持部３１の底面３１ａに対して垂直な状態で配設されている。
【００３３】
スライダプレート３２の上下貫通穴３２１には、スライダプレート３２を垂直姿勢のままスライド方向（図２における左右方向）に案内する４本のガイドバー３３がそれぞれ貫通し、金具保持部３１の底面と平行な状態となるように本体部２に固着されている。これらのガイドバー３３によって、スライダプレート３２は傾くことなく横方向にスライドすることができるようになっている。また、スライダプレート３２と本体部２との間には、コイルスプリング２３が介装されており、スライダプレート３２を圧入方向の反対向きに押し戻す作用を有している。
【００３４】
かかるスライダプレート３２と一体とされた金具保持部３１は、本体部２の底部２ａに対向するように配置されており、本体部２の内側面には、金具保持部３１に保持されるクランプ金具５の天面との干渉を避けるための凹部２４が形成されている。
【００３５】
操作部３は、操作レバー３４と結合された偏心円形カム３５を備えている。偏心円形カム３５は本体部２に軸支されており、スライダプレート３２を押圧する倍力機構を形成している。この偏心円形カム３５に結合する操作レバー３４を傾けることによって偏心円形カム３５が回転し、スライダプレート３２および金具保持部３１をスライド移動させることができるようになっている。
【００３６】
かかる構成のスレート屋根改修用工具１の使用方法は以下のようになる。図６は、スレート屋根改修用工具１の使用方法を示す説明図である。
【００３７】
まず、操作部３の金具保持部３１に図中矢符Ａの方向からクランプ金具５をセットする。金具保持部３１は、クランプ金具５を挿入する側の全面にわたって開口しているので、容易にクランプ金具５をセットすることができる。金具保持部３１に挿入されたクランプ金具５は、位置決めリブ３１１によって保持される。このとき、クランプ金具５のリブ５３を、金具保持部３１の押出部３１３の内側面に当接するようにセットすると、クランプ金具５の嵌入溝５４が、その開口縁をフックボルト８の軸方向に向けられる。
【００３８】
次に、本体部２の掛止部２２を、既設スレート屋根材７の山部から突出したフックボルト８の軸部８１に、フックボルト８の上方から、または矢符Ｂの方向から掛止する。図示するように、フックボルト８に掛止される掛止部２２の開口方向（矢符Ｂ）は、前記の金具保持部３１に対するクランプ金具５の挿入方向（矢符Ａ）と互いに反対向きとなるように形成されている。掛止部２２の掛止位置は、フックボルト８に螺合している固定ナット８２の直上が好ましい。
【００３９】
掛止部２２にフックボルト８の軸部８１を掛止させたら、片手でハンドル２１を押さえて本体部２を既設スレート屋根材７の上に固定しつつ、他方の手で操作部３の操作レバー３４を倒していく。これにより、偏心円形カム３５が回転してスライダプレート３２を横方向に加圧し、金具保持部３１を横方向にスライドさせる。
【００４０】
さらに操作レバー３４を倒すと、金具保持部３１の保持するクランプ金具５がフックボルト８の軸まわりに圧入されていく。クランプ金具５の嵌入溝５４を圧入させる位置は、好ましくはフックボルト８の座金８３の下部であるが、固定ナット８２と座金８３との間であってもよい。本体部２の内側面に形成された凹部２４（図２，４参照）が、クランプ金具５の天面５１を逃がすので、フックボルト８の軸まわりにクランプ金具５を嵌入溝５４の奥一杯まで完全に圧入させることができる。
【００４１】
本体部２の掛止部２２は、金具保持部３１に保持されたクランプ金具５の圧入方向と、直交する向きに形成されているので、クランプ金具５の圧入時にはフックボルト８に掛止した掛止部２２が圧入操作に対する反力基点となり、本体部２を安定させつつ圧入操作を行うことができる。
【００４２】
また、金具保持部３１は、スライダプレート３２を貫通する４本のガイドバー３３によって、本体部２の底部２ａと平行になるようにスライド移動するので、図中矢符Ｃの方向からクランプ金具５をスムーズに圧入させることができ、作業効率もよい。かかる作業は、従来のようにハンマー等によってクランプ金具５をたたき込むような作業ではないので、静かに作業を進めることができ、粉塵および埃の落下や、騒音の発生を防止することができる。
【００４３】
上記のようにクランプ金具５をフックボルト８の軸まわりに圧入した後は、スレート屋根改修用工具１をフックボルト８、およびフックボルト８に固定されたクランプ金具５から取り外す。このとき本体部２を図中矢符Ｄ方向に引き、フックボルト８から抜き取る。かかる抜き取り操作は、金具保持部３１に保持されたクランプ金具５の圧入方向（矢符Ｃ）と直交する方向になされるので、クランプ金具５をフックボルト８の軸まわりに圧入した状態のまま、本体部２をスムーズに引き抜くことができる。またこれと同時に、操作部３の金具保持部３１が矢符Ｅ方向に抜き取られる。金具保持部３１は、前記のようにクランプ金具５を挿入する側の全面にわたって開口しているので、矢符Ｅ方向の抜き取り操作で、クランプ金具５が金具保持部３１から容易に取り外される。
【００４４】
このように取り外されたスレート屋根改修用工具１は、操作レバー３４を緩めると、コイルスプリング２３の反発力によってスライダプレート３２が元の位置に戻されるので、直ちに次のフックボルト８に対してクランプ金具５の取付作業にかかることができる。
【実施例２】
【００４５】
次に、本発明に係るスレート屋根改修用工具の実施例２について説明する。図７は本発明の実施例２を示す機構図であり、図８は図７の側面図である。なお、以下の実施例２〜実施例４の形態に係るスレート屋根改修用工具１は、それぞれ本体部２の基本構成が前記実施例１と同様であり、操作部３の倍力機構が相違しているので、この操作部の倍力機構について詳細に説明し、他の構成については上記実施例１と共通の符号を用いて説明を省略する。
【００４６】
このスレート屋根改修用工具１の操作部３には、操作レバー３４の固着された回転板３６が設けられている。この回転板３６の中心を通る回転軸部３７は、ガイドバー３３と平行にスライダプレート３２を貫通する状態で本体部２に軸着されている。回転軸部３７には雄ネジ部３７１が形成されており、この回転軸部３７とスライダプレート３２の中央部に形成されている雌ネジ部（図示省略）とが螺合して、かかるネジ送りでスライダプレート３２および金具保持部３１をスライド移動させるように構成されている。
【００４７】
これにより、スレート屋根材７のフックボルト８の軸まわりにクランプ金具５を固定するには、本体部２の掛止部２２をフックボルト８の軸部８１に掛止させるようにスレート屋根改修用工具１を固定し、操作部３の操作レバー３４を片手で回転させるだけでスライダプレート３２および金具保持部３１を横方向にスライドさせることができ、クランプ金具５を容易にフックボルト８の軸まわりに圧入させることができる。このとき、上記実施例１と同様に、クランプ金具５はスムーズにフックボルト８の軸まわりに固定されるので、粉塵および埃の落下や、騒音の発生を防止することができる。
【実施例３】
【００４８】
次に、本発明に係るスレート屋根改修用工具の実施例３について説明する。図９は本発明の実施例３を示す機構図であり、図１０は図９の側面図である。
【００４９】
このスレート屋根改修用工具１の操作部３には、操作レバー３４と連結リンク３８と押出レバー３９とからなるリンク機構が形成されている。操作レバー３４は、その下端部が本体部２の側部に設けられた回動支点３４Ａに軸支されている。この操作レバー３４の下端部は屈曲しており、端部に連結リンク３８が結合されている。連結リンク３８は、本体部２の上部に位置する回動支点３９Ａに軸支された押出レバー３９の下端近傍に結合されており、この押出レバー３９の下端部は屈曲されて、その端部に、スライダプレート３２に当接するローラー３９１が設けられている。かかる構成によって、操作部３には、四節リンク式の倍力機構が形成されている。また、スライダプレート３２と本体部２との間には、コイルスプリング２３が介装されている。
【００５０】
このようなスレート屋根改修用工具１は、回動支点３４Ａを中心にして操作レバー３４を下方へ傾けると、押出レバー３９の端部のローラー３９１が金具保持部３１の押出部３１３を押圧し、金具保持部３１およびスライダプレート３２を横方向にスライド移動させる。
【００５１】
この場合、スレート屋根材７のフックボルト８の軸まわりにクランプ金具５を固定するには、本体部２の掛止部２２をフックボルト８の軸部８１に掛止させてスレート屋根改修用工具１を固定し、片手で操作部３の操作レバー３４を倒せばよく、このような操作だけでクランプ金具５を容易にフックボルト８の軸まわりに圧入させることができる。かかる形態のスレート屋根改修用工具１においても、クランプ金具５がフックボルト８の軸部８１に直交する方向からスライドしてスムーズに軸まわりに固定されるので、粉塵および埃の落下や、騒音の発生を防止することができる。
【実施例４】
【００５２】
次に、本発明に係るスレート屋根改修用工具の実施例４について説明する。図１１は本発明の実施例４を示す機構図であり、図１２は図１１の側面図である。
【００５３】
このスレート屋根改修用工具１の操作部３にも、前記実施例３と類似する形態の操作レバー３４と連結レバー３８と押出レバー３９とからなる四節リンク式の倍力機構が形成されている。操作レバー３４は本体部２の回動支点３４Ａに軸支され、下端が連結リンク３８に結合されている。連結リンク３８の下端部には、本体部２に軸支された押出レバー３９が結合されている。本体部２とスライダプレート３２との間には、コイルスプリング２３が介装されている。
【００５４】
これにより、回動支点３４Ａを中心にして操作レバー３４を下方へ傾けると、押出レバー３９の端部に設けられたローラー３９１が、斜め上方に移動してスライダプレート３２を押圧し、金具保持部３１をスライド移動させる。したがって、スレート屋根材７のフックボルト８の軸まわりにクランプ金具５を固定するには、本体部２の掛止部２２をフックボルト８の軸部８１に掛止させるようにスレート屋根改修用工具１を固定し、片手で操作部３の操作レバー３４を倒すようにするだけでよく、クランプ金具５を容易にフックボルト８の軸まわりに圧入させることができる。かかる形態においても、クランプ金具５がフックボルト８の軸部８１に直交する方向からスライドしてスムーズに軸まわりに固定されるので、粉塵および埃の落下や、騒音の発生を防止することができる。
【実施例５】
【００５５】
次に、本発明に係るスレート屋根改修用工具の実施例５について説明する。図１３は本発明のスレート屋根改修用工具に適用しうるクランプ金具の一例を示す斜視図である。また、図１４は本発明の実施例５を示す機構図であり、図１５は図１４におけるスレート屋根改修用工具を図面上での右側から見た側面としてＸ−Ｘ線断面とともに示す半断面図である。
【００５６】
なお、この実施例５の形態に係るスレート屋根改修用工具１は、操作部の倍力機構が前記実施例３と同様であり、本体部の掛止部と、操作部の金具保持部の構成に特徴があるので、これらの掛止部および金具保持部について詳細に説明し、その他の各部構成については上記実施例３と共通の符号を用いて説明を省略する。
【００５７】
このスレート屋根改修用工具１は、前記クランプ金具５に加えて、クランプ金具５ｆを使用する屋根改修にも利用することができる。すなわち、このスレート屋根改修用工具１は、既設のスレート屋根材７の断面が波形状のものだけではなく、平板状の屋根材である場合にも好適である。なお、以下のスレート屋根改修用工具１については、クランプ金具５ｆを使用した例について説明するが、クランプ金具５についても同様に使用することができる。
【００５８】
操作部３に設けられている金具保持部３１は、当接面３１２の内側に、クランプ金具５ｆ（またはクランプ金具５）の天面５１を係止して保持するための係止凸部３１４が突設されている。
【００５９】
図示するように係止凸部３１４は、適度な厚みをもつブロック体で構成されており、金具保持部３１の上面内側と押出部３１３の内側との間に、クランプ金具５ｆの材厚分とほぼ同寸法の隙間を介して配設されている。そして、かかる隙間に、クランプ金具５ｆの天面５１と上側のリブ５３が挟み込まれて固定される。
【００６０】
この場合、金具保持部３１は、係止凸部３１４によってクランプ金具５ｆを保持する構成であるので、前記実施例３に示したような底面側の位置決めリブ３１１は設けられておらず、金具保持部３１の底面側が、保持したクランプ金具５ｆの底面５２を完全に露出させる形状となっている。
【００６１】
さらに、金具保持部３１にセットされたクランプ金具５ｆは、その天面５１および上側のリブ５３が支持されているので、金具保持部３１の底面側からクランプ金具５ｆの底面５２が突出していてもよく、使用するクランプ金具５ｆの高さを限定せずに使用することができる。
【００６２】
また、このスレート屋根改修用工具１においては、掛止部２５はボルト保持部材２６の底部に設けられている。このボルト保持部材２６は、本体部２とは別体で形成され、本体部２の側面に取り付けられている。ボルト保持部材２６の底部は、本体部２の内側方向へ屈曲する形状で形成され、この屈曲した先端部に掛止部２５が設けられている。
【００６３】
例示の形態では、掛止部２５は、既設スレート屋根材７上に突出するフックボルト８の軸部８１、およびフックボルト８に螺合している固定ナット８２に嵌り合う断面形状の凹部であり、図１４における手前方向に開口して形成されている。これにより、掛止部２５にフックボルト８の軸部８１および固定ナット８２を容易に掛止させることができ、この掛止状態をクランプ金具５ｆの設置作業中も安定的に維持することが可能となる。また、施工現場によっては、フックボルト８が固定ナット８２の上面で切断されている場合があるが、このような場合でも、掛止部２５が固定ナット８２に嵌り合う断面形状に形成されていることによって、その掛止状態を維持でき、クランプ金具５ｆを容易に圧入することが可能になる。
【００６４】
また、かかる掛止部２５を備えたボルト保持部材２６は、本体部２の側面に突出する４本のガイドバー３３が貫通しうる長孔２６１…２６１を有する。図示するように、本体部２の側面においてボルト保持部材２６は、突出する各ガイドバー３３がそれぞれ長孔２６１…２６１に挿通されて、ガイドバー３３のボルト状の軸部にナット３３ａおよび座金３３ｂを用いて固定されている。
【００６５】
このとき、ボルト保持部材２６の取付位置を長孔２６１で調整することが可能である。すなわち、スレート屋根改修用工具１は、金具保持部３１に対する掛止部２５の上下方向の位置を自在に変更することが可能となっている。したがって、スレート屋根改修用工具１の使用時、金具保持部３１にセットするクランプ金具５ｆの嵌入溝５４が、ちょうどフックボルト８の座金８３の下部に圧入されるように、両者の相対的な高さ位置を、このボルト保持部材２６の取付位置を上下に変更することで調整することができる。これにより、クランプ金具５ｆをフックボルト８の軸まわりにスムーズに嵌入固定することができる。
【００６６】
このようなボルト保持部材２６の取付位置の調整は、例えば使用するクランプ金具５ｆの高さが複数種類ある場合に好都合となる。また、既設のスレート屋根材７どうしの重なり部では、屋根材の厚みによって、山部の高さが他の箇所の山部と異なることがあるが、高さの異なるクランプ金具５を使い分けることで、その上に被せる新規の金属屋根材に不陸を生じないようにすることが可能になる。
【００６７】
なお、この形態のスレート屋根改修用工具１の金具保持部の構成は、操作部３の倍力機構が前記実施例１〜実施例４のいずれの形態のものに対しても適用することができる。
【産業上の利用可能性】
【００６８】
本発明は、工場等の老朽化した既設スレート屋根を取り壊して撤去することなく、その上に新たな金属屋根材を葺設して改修する屋根の改修工法において有効に利用することができる。
【図面の簡単な説明】
【００６９】
【図１】本発明のスレート屋根改修用工具に適用しうるクランプ金具の一形態を示す斜視図である。
【図２】本発明に係るスレート屋根改修用工具の実施例１を示す正面側から見た機構図である。
【図３】実施例１のスレート屋根改修用工具の側面図である。
【図４】上記スレート屋根改修用工具の本体部を示す側面図である。
【図５】上記スレート屋根改修用工具の操作部の一部を示す（ａ）正面図、（ｂ）側面図である。
【図６】上記スレート屋根改修用工具１の使用方法を示す説明図である。
【図７】本発明に係るスレート屋根改修用工具の実施例２を示す機構図である。
【図８】実施例２のスレート屋根改修用工具の側面図である。
【図９】本発明に係るスレート屋根改修用工具の実施例３を示す機構図である。
【図１０】実施例３のスレート屋根改修用工具の側面図である。
【図１１】本発明に係るスレート屋根改修用工具の実施例４を示す機構図である。
【図１２】実施例４のスレート屋根改修用工具の側面図である。
【図１３】本発明のスレート屋根改修用工具に適用しうるクランプ金具の他の形態を示す斜視図である。
【図１４】本発明に係るスレート屋根改修用工具の実施例５を示す機構図である。
【図１５】図１４におけるスレート屋根改修用工具の右側面をＸ−Ｘ線断面とともに示す半断面図である。
【符号の説明】
【００７０】
１      スレート屋根改修用工具
２      本体部
２１    ハンドル
２２，２５    掛止部
２６    ボルト保持部材
３      操作部
３１    金具保持部
３２    スライダプレート
３３    ガイドバー
３４    操作レバー
３５    偏心円形カム
３６    回転板
３７    回転軸部
３７１  雄ネジ部
３８    連結リンク
３９    押出レバー
５，５ｆ    クランプ金具
５１    天面
５２    底面
５３    リブ
５４    嵌入溝
７      既設スレート屋根材
８      フックボルト
８１    軸部
８２    ナット
８３    座金
【図１】
2006152794.tif 000003
【図２】
2006152794.tif 000004
【図３】
2006152794.tif 000005
【図４】
2006152794.tif 000006
【図５】
2006152794.tif 000007
【図６】
2006152794.tif 000008
【図７】
2006152794.tif 000009
【図８】
2006152794.tif 000010
【図９】
2006152794.tif 000011
【図１０】
2006152794.tif 000012
【図１１】
2006152794.tif 000013
【図１２】
2006152794.tif 000014
【図１３】
2006152794.tif 000015
【図１４】
2006152794.tif 000016
【図１５】
2006152794.tif 000017